(57)【要約】【課題】折り曲げて内容物を取り出す際に、内容物が飛び散ることを防止でき、目的の位置に内容物を正しく押し出すことができる折り曲げ開封包装体を提供する。【解決手段】折り曲げ開封包装体は上材と下材とを備え、上材と下材の周縁が接着されていることによって上材と下材との間に内容物を収容可能な収容部が形成されており、上材は、二つ折り状態に折り曲げ可能な折り曲げ部および折り曲げ部で折り曲げられたときに開口を形成する破断開封部を有するシート材を備え、破断開封時における内容物の飛散を防止するための飛散防止材が、破断開封部の上面に設けられており、飛散防止材は、破断開封部と交差する、一方の側から他方の側に延びる１つ以上の第１くし刃と、他方の側から一方の側に伸びる１つ以上の第２くし刃とを備え、第１くし刃と第２くし刃は、破断開封部に対して交差する方向において交互に設けられている。【選択図】図１
2019196193.tif 000002
【特許請求の範囲】
【請求項１】
内容物を封入する包装体を折り曲げることによって包装体の一部が破断開封して、前記内容物を包装体から取り出すことが可能な構成を有する折り曲げ開封包装体であって、
折り曲げたときに破断開封する上材と、下材とを備え、前記上材と前記下材の周縁が接着されていることによって、前記上材と前記下材との間に前記内容物を収容可能な収容部が形成されており、
前記上材は、二つ折り状態に折り曲げ可能な折り曲げ部、および前記折り曲げ部で折り曲げられたときに開口を形成する破断開封部を有するシート材を備え、
破断開封時における前記内容物の飛散を防止するための飛散防止材が、前記破断開封部の上方に設けられており、
前記飛散防止材は、前記破断開封部と交差する、一方の側から他方の側に延びる１つ以上の第１くし刃と、他方の側から一方の側に伸びる１つ以上の第２くし刃とを備え、
前記１つ以上の第１くし刃と前記１つ以上の第２くし刃は、前記破断開封部に対して交差する方向において交互に設けられていることを特徴とする、折り曲げ開封包装体。
【請求項２】
前記破断開封部およびその周辺部に接着されて前記破断開封部を封止し、前記シート材が前記折り曲げ部で折り曲げられたときに前記破断開封部によって破断されて開封されることが可能な破断強度を有する封止材をさらに備えることを特徴とする、請求項１に記載の折り曲げ開封包装体。
【請求項３】
前記第１くし刃および前記第２くし刃の長さが、０．５ｍｍ〜２０ｍｍであることを特徴とする、請求項１または２に記載の折り曲げ開封包装体。
【請求項４】
前記第１くし刃および前記第２くし刃の幅が、０．３ｍｍ〜３ｍｍであることを特徴とする、請求項１乃至３のいずれか１項に記載の折り曲げ開封包装体。
【請求項５】
内容物を封入する包装体を折り曲げることによって包装体の一部が破断開封して、前記内容物を包装体から取り出すことが可能な包装体の折り曲げ開封構造であって、
前記折り曲げ開封構造は、二つ折り状態に折り曲げ可能な折り曲げ部、および前記折り曲げ部で折り曲げられたときに開口を形成する破断開封部を有するシート材を備えており、
破断開封時における前記内容物の飛散を防止するための飛散防止材が、前記破断開封部の上方に設けられており、
前記飛散防止材は、前記破断開封部と交差する、一方の側から他方の側に延びる１つ以上の第１くし刃と、他方の側から一方の側に伸びる１つ以上の第２くし刃とを備え、
前記１つ以上の第１くし刃と前記１つ以上の第２くし刃は、前記破断開封部に対して交差する方向において交互に設けられていることを特徴とする、折り曲げ開封構造。
【請求項６】
前記破断開封部およびその周辺部に接着されて前記破断開封部を封止し、前記シート材が前記折り曲げ部で折り曲げられたときに前記破断開封部によって破断されて開封されることが可能な破断強度を有する封止材をさらに備えることを特徴とする、請求項５に記載の折り曲げ開封構造。
【請求項７】
前記第１くし刃および前記第２くし刃の長さが、０．５ｍｍ〜２０ｍｍであることを特徴とする、請求項５または６に記載の折り曲げ開封構造。
【請求項８】
前記第１くし刃および前記第２くし刃の幅が、０．３ｍｍ〜３ｍｍであることを特徴とする、請求項５乃至７のいずれか１項に記載の折り曲げ開封構造。
【発明の詳細な説明】
【技術分野】
【０００１】
本発明は液状、ペースト状、粉末状、顆粒状、または錠剤タイプの食品、医薬品、または化粧品等を個別包装する折り曲げ開封包装体に関する。
より詳しくは、折り曲げて内容物を取り出す際に、内容物が飛び散ることを防止でき、目的の位置に内容物を正しく押し出すことができる折り曲げ開封包装体ならびに折り曲げ開封構造に関する。
【背景技術】
【０００２】
従来、液状、ペースト状、粉末状、顆粒状、または錠剤タイプの食品、医薬品、または化粧品等を個別包装する包装体が種々提案されている。
このような個別包装の包装体において、開封しやすい包装体として、薄板状の表材および裏材を貼り合わせて収容部が形成され、折り曲げることにより破断開封し、収容部に収容した内容物を取り出すことが可能な折り曲げ開封包装体が知られている。
【０００３】
このような折り曲げ開封包装体の表材は、基本的には、特許文献１に記載された構造、すなわち、図７の（ａ）〜（ｃ）に示されるように、硬質のシート材（５１）と、封止材（５２）とを備えている。
シート材（５１）は、長方形の薄板であり、長辺の延びる方向の中間位置において２つに折り曲げたときに部分的に開口を形成する破断開封部（５３）を有する。
破断開封部（５３）は、例えば、複数のＸ字状、複数のＶ字状、または大きなＵ字状などの形状を有する。
封止材（５２）は、アルミニウムなどの金属箔などで製造され、シート材（５１）が２つに折り曲げられたときに破断開封部（５３）が開口を形成するとともに封止材（５２）を開封して包装体に収容された内容物を取り出すことが可能である。
【０００４】
図８に示される特許文献２に記載される折り曲げ開封包装体は、内側支持層（６１ａ）および外側支持層（６１ｂ）からなる２層構造のシート材（６１）と、ガス遮断フィルムからなる封止材（６２）とを有する。
封止材（６２）は、シート材（６１）の内側支持層（６１ａ）および外側支持層（６１ｂ）に挟まれている。
内側支持層（６１ａ）には内側切込み（６３ａ）が形成され、外側支持層（６１ｂ）には外側切込み（６３ｂ）が形成されている。
内側切込み（６３ａ）および外側切込み（６３ｂ）は、互いに対向する位置に形成されている。
これら内側切込み（６３ａ）および外側切込み（６３ｂ）によって、破断開封部（６３）が形成されている。
シート材（６１）を折り曲げたときには、シート材（６１）の内側支持層（６１ａ）および外側支持層（６１ｂ）は、それぞれ破断開封部（６３）を構成する内側切込み（６３ａ）および外側切込み（６３ｂ）の位置で破断し、それとともに、封止材（６２）が開封される。
【先行技術文献】
【特許文献】
【０００５】
【特許文献１】特公昭５５−３６５５２号公報
【特許文献２】特開２０１６−８８５９７号公報
【発明の概要】
【発明が解決しようとする課題】
【０００６】
叙上の通り、特許文献１および特許文献２に記載される折り曲げ開封包装体は、折り曲げることにより破断開封し、収容部に収容した内容物を取り出すことが可能な構成を有している。
しかしながら、これらの折り曲げ開封包装体は、折り曲げた時に形成される開口部分に、収容部から取り出される内容物の飛散を防止するための構成を備えていないため、折り曲げることにより破断開封し、収容部に収容した内容物を取り出す時に、内容物が意図せぬ方向に飛び散る虞があるという問題点を有していた。
【０００７】
本発明は、上記したような従来技術の問題点を解決するためになされたものであり、折り曲げることにより破断開封し、収容部に収容した内容物を取り出すことが可能な折り曲げ開封包装体において、折り曲げて内容物を取り出す際に、内容物が飛び散ることを防止できる折り曲げ開封包装体ならびに折り曲げ開封構造を提供することを目的とする。
【課題を解決するための手段】
【０００８】
請求項１に係る発明は、内容物を封入する包装体を折り曲げることによって包装体の一部が破断開封して、前記内容物を包装体から取り出すことが可能な構成を有する折り曲げ開封包装体であって、
折り曲げたときに破断開封する上材と、下材とを備え、前記上材と前記下材の周縁が接着されていることによって、前記上材と前記下材との間に前記内容物を収容可能な収容部が形成されており、
前記上材は、二つ折り状態に折り曲げ可能な折り曲げ部、および前記折り曲げ部で折り曲げられたときに開口を形成する破断開封部を有するシート材を備え、
破断開封時における前記内容物の飛散を防止するための飛散防止材が、前記破断開封部の上方に設けられており、
前記飛散防止材は、前記破断開封部と交差する、一方の側から他方の側に延びる１つ以上の第１くし刃と、他方の側から一方の側に伸びる１つ以上の第２くし刃とを備え、
前記１つ以上の第１くし刃と前記１つ以上の第２くし刃は、前記破断開封部に対して交差する方向において交互に設けられていることを特徴とする、折り曲げ開封包装体に関する。
【０００９】
請求項２に係る発明は、前記破断開封部およびその周辺部に接着されて前記破断開封部を封止し、前記シート材が前記折り曲げ部で折り曲げられたときに前記破断開封部によって破断されて開封されることが可能な破断強度を有する封止材をさらに備えることを特徴とする、請求項１に記載の折り曲げ開封包装体に関する。
【００１０】
請求項３に係る発明は、前記第１くし刃および前記第２くし刃の長さが、０．５ｍｍ〜２０ｍｍであることを特徴とする、請求項１または２に記載の折り曲げ開封包装体に関する。
【００１１】
請求項４に係る発明は、前記第１くし刃および前記第２くし刃の幅が、０．３ｍｍ〜３ｍｍであることを特徴とする、請求項１乃至３のいずれか１項に記載の折り曲げ開封包装体に関する。
【００１２】
請求項５に係る発明は、内容物を封入する包装体を折り曲げることによって包装体の一部が破断開封して、前記内容物を包装体から取り出すことが可能な包装体の折り曲げ開封構造であって、
前記折り曲げ開封構造は、二つ折り状態に折り曲げ可能な折り曲げ部、および前記折り曲げ部で折り曲げられたときに開口を形成する破断開封部を有するシート材を備えており、
破断開封時における前記内容物の飛散を防止するための飛散防止材が、前記破断開封部の上方に設けられており、
前記飛散防止材は、前記破断開封部と交差する、一方の側から他方の側に延びる１つ以上の第１くし刃と、他方の側から一方の側に伸びる１つ以上の第２くし刃とを備え、
前記１つ以上の第１くし刃と前記１つ以上の第２くし刃は、前記破断開封部に対して交差する方向において交互に設けられていることを特徴とする、折り曲げ開封構造に関する。
【００１３】
請求項６に係る発明は、前記破断開封部およびその周辺部に接着されて前記破断開封部を封止し、前記シート材が前記折り曲げ部で折り曲げられたときに前記破断開封部によって破断されて開封されることが可能な破断強度を有する封止材をさらに備えることを特徴とする、請求項５に記載の折り曲げ開封構造に関する。
【００１４】
請求項７に係る発明は、前記第１くし刃および前記第２くし刃の長さが、０．５ｍｍ〜２０ｍｍであることを特徴とする、請求項５または６に記載の折り曲げ開封構造に関する。
【００１５】
請求項８に係る発明は、前記第１くし刃および前記第２くし刃の幅が、０．３ｍｍ〜３ｍｍであることを特徴とする、請求項５乃至７のいずれか１項に記載の折り曲げ開封構造に関する。
【発明の効果】
【００１６】
請求項１に係る折り曲げ開封包装体によれば、破断開封時における内容物の飛散を防止するための飛散防止材が破断開封部の上方に設けられており、飛散防止材は、破断開封部と交差する、一方の側から他方の側に延びる１つ以上の第１くし刃と、他方の側から一方の側に伸びる１つ以上の第２くし刃とを備え、１つ以上の第１くし刃と１つ以上の第２くし刃は、破断開封部に対して交差する方向において交互に設けられているため、折り曲げて内容物（例えば、液状、ペースト状、粉末状、顆粒状、または錠剤タイプの食品、医薬品、または化粧品等）を取り出す際に、開口から収容部の外に押し出される内容物が第１くし刃および第２くし刃に沿って外に押し出されるため、押し出された内容物が意図せぬ方向に飛び散る虞がなく、目的の位置に内容物を正しく押し出すこと（塗工すること）ができる。
【００１７】
請求項２に係る折り曲げ開封包装体によれば、破断開封部およびその周辺部に接着されて破断開封部を封止し、シート材が折り曲げ部で折り曲げられたときに破断開封部によって破断されて開封されることが可能な破断強度を有する封止材をさらに備えるため、輸送時や保管時等で意図しない外力が作用してもシート材が折れ曲がって破断開封部が意図せず開口して内容物が漏れてしまう虞がない。
【００１８】
請求項３に係る折り曲げ開封包装体によれば、第１くし刃および第２くし刃の長さが、０．５ｍｍ〜２０ｍｍであるため、折り曲げて内容物を取り出す際に、開口から収容部の外に押し出される内容物が０．５ｍｍ〜２０ｍｍの長さの第１くし刃および第２くし刃に沿って外に押し出されるため、押し出された内容物が意図せぬ方向に飛び散る虞がなく、より容易に請求項１に係る効果を奏することができる。
【００１９】
請求項４に係る折り曲げ開封包装体によれば、第１くし刃および第２くし刃の幅が、０．３ｍｍ〜３ｍｍであるため、折り曲げて内容物を取り出す際に、開口から収容部の外に押し出される内容物が０．３ｍｍ〜３ｍｍの幅の第１くし刃および第２くし刃に沿って外に押し出されるため、押し出された内容物が意図せぬ方向に飛び散る虞がなく、より容易に請求項１に係る効果を奏することができる。
【００２０】
請求項５に係る折り曲げ開封構造によれば、内容物を封入する包装体を折り曲げることによって包装体の一部が破断開封して、内容物を包装体から取り出すことが可能な包装体の折り曲げ開封構造であって、折り曲げ開封構造は、二つ折り状態に折り曲げ可能な折り曲げ部、および折り曲げ部で折り曲げられたときに開口を形成する破断開封部を有するシート材を備えており、破断開封時における内容物の飛散を防止するための飛散防止材が、破断開封部の上方に設けられており、飛散防止材は、破断開封部と交差する、一方の側から他方の側に延びる１つ以上の第１くし刃と、他方の側から一方の側に伸びる１つ以上の第２くし刃とを備え、１つ以上の第１くし刃と１つ以上の第２くし刃は、破断開封部に対して交差する方向において交互に設けられているため、折り曲げて内容物（例えば、液状、ペースト状、粉末状、顆粒状、または錠剤タイプの食品、医薬品、または化粧品等）を取り出す際に、開口から収容部の外に押し出される内容物が第１くし刃および第２くし刃に沿って外に押し出されるため、押し出された内容物が意図せぬ方向に飛び散る虞がなく、目的の位置に内容物を正しく押し出すこと（塗工すること）ができる。
【００２１】
請求項６に係る折り曲げ開封構造によれば、破断開封部およびその周辺部に接着されて破断開封部を封止し、シート材が折り曲げ部で折り曲げられたときに破断開封部によって破断されて開封されることが可能な破断強度を有する封止材をさらに備えるため、輸送時や保管時等で意図しない外力が作用してもシート材が折れ曲がって破断開封部が意図せず開口して内容物が漏れてしまう虞がない。
【００２２】
請求項７に係る折り曲げ開封構造によれば、第１くし刃および第２くし刃の長さが、０．５ｍｍ〜２０ｍｍであるため、折り曲げて内容物を取り出す際に、開口から収容部の外に押し出される内容物が０．５ｍｍ〜２０ｍｍの長さの第１くし刃および第２くし刃に沿って外に押し出されるため、押し出された内容物が意図せぬ方向に飛び散る虞がなく、より容易に請求項１に係る効果を奏することができる。
【００２３】
請求項８に係る折り曲げ開封構造によれば、第１くし刃および第２くし刃の幅が、０．３ｍｍ〜３ｍｍであるため、折り曲げて内容物を取り出す際に、開口から収容部の外に押し出される内容物が０．３ｍｍ〜３ｍｍの幅の第１くし刃および第２くし刃に沿って外に押し出されるため、押し出された内容物が意図せぬ方向に飛び散る虞がなく、より容易に請求項１に係る効果を奏することができる。
【図面の簡単な説明】
【００２４】
【図１】本発明の実施形態に係る折り曲げ開封包装体の構造を示す図であって、（ａ）は平面図、（ｂ）は断面図である。
【図２】本発明の実施形態に係る折り曲げ開封包装体を折り曲げた状態を示す図であって、（ａ）は折り曲げ開封包装体を折り曲げ破断開封して内容物を取り出している状態を示す説明図、（ｂ）は（ａ）の状態の折り曲げ開封包装体をＤの方向から見た図である。
【図３】本発明のその他の実施形態に係る折り曲げ開封包装体の構造を示す図であって、（ａ）は平面図、（ｂ）は断面図である。
【図４】本発明のその他の実施形態に係る折り曲げ開封包装体を折り曲げた状態を示す図であって、（ａ）は折り曲げ開封包装体を折り曲げ破断開封して内容物を取り出している状態を示す説明図、（ｂ）は（ａ）の状態の折り曲げ開封包装体をＤの方向から見た図である。
【図５】本発明に係る第１くし刃および第２くし刃の長さならびに幅を示す説明図である。
【図６】（ａ）〜（ｆ）は本発明に係る第１くし刃および第２くし刃の平面視における形状の一例を示す図である。
【図７】（ａ）〜（ｃ）は従来の折り曲げ開封包装体の一例であって、封止材がシート材の破断開封部を覆う構造を示す斜視図である。
【図８】従来の折り曲げ開封包装体のさらに他の例を示す断面図である。
【発明を実施するための形態】
【００２５】
つぎに図面を参照しながら本発明の折り曲げ開封包装体ならびに折り曲げ開封構造の実施形態についてさらに詳細に説明する。
図１は、本発明の実施形態に係る折り曲げ開封包装体の構造を示す図であって、（ａ）は平面図、（ｂ）は断面図である。
図２は、本発明の実施形態に係る折り曲げ開封包装体を折り曲げた状態を示す図であって、（ａ）は折り曲げ開封包装体を折り曲げ破断開封して内容物を取り出している状態を示す説明図、（ｂ）は（ａ）の状態の折り曲げ開封包装体をＤの方向で見た図である。
【００２６】
図１〜２に示される折り曲げ開封包装体（１）は、内容物（Ｐ）を封入する折り曲げ開封包装体（１）を折り曲げることによって折り曲げ開封包装体（１）の一部が破断開封して、内容物（Ｐ）を折り曲げ開封包装体（１）から取り出すことが可能な構成を有する。
具体的には以下のように構成されている。
【００２７】
折り曲げ開封包装体（１）は、折り曲げたときに破断開封する上材（２）と、容器材となる下材（３）とを備えている。
さらに、折り曲げ開封包装体（１）は、破断開封時における内容物（Ｐ）の飛散を防止するための飛散防止材（７）が、破断開封部（９）の上方に設けられている。
上材（２）と下材（３）は、上材（２）と下材（３）の四方の周縁におけるシール部（３０）においてホットメルト等によって接着されている。
より具体的には、上材（２）（より具体的には、後述するシート材（５））には、上材（２）と下材（３）とを接着させるための溶着材（図示せず）が設けられている。
溶着材は、下材（３）との加熱接着性のある部材であれば良く、例えば、ポリエチレン（ＰＥ）等が挙げられる。
これによって、上材（２）と下材（３）との間に内容物（Ｐ）を収容可能な収容部（４）が形成される。
【００２８】
上材（２）は、内容物（Ｐ）を封入する折り曲げ開封包装体（１）を折り曲げることによって折り曲げ開封包装体（１）の一部が破断開封して、内容物（Ｐ）を折り曲げ開封包装体（１）から取り出すことが可能な折り曲げ開封包装体（１）の折り曲げ開封構造を有している。
このような折り曲げ開封構造を有する上材（２）は、具体的には、シート材（５）と、封止材（６）とを備える。
【００２９】
シート材（５）は、二つ折り状態に折り曲げ可能な折り曲げ部（８）、および折り曲げ部（８）で折り曲げられたときに開口を形成する破断開封部（９）を有する。
【００３０】
シート材（５）の材質や寸法は特に限定されず、折り曲げ開封包装体（１）の大きさ、折り曲げ開封角度等の条件により適宜決定される。
シート材（５）の材料としては、アモルファスポリエチレンテレフタレート（ＡＰＥＴ）、ポリプロピレン（ＰＰ）、スチレンなどの樹脂材料の単体や複合材からなる膜状または薄板状の部材が用いられる。
シート材（５）を折り曲げて開封する際に、シート材（５）が腰のある材料である方が安定して開封することができるため、例えば、シート材（５）はＡＰＥＴ等のプラスチック製であることが特に望ましい。
また、シート材（５）の形状は特に限定されず、図１に示すような平坦な形状であっても良く、凹凸を有する形状であっても良い。
同様に、後述する封止材（６）および飛散防止材（７）の形状も、図１に示すような平坦な形状であっても良く、凹凸を有する形状であっても良い。
【００３１】
折り曲げ部（８）は、折り曲げ性を補助するものでシート材（５）に設けられる。
折り曲げ部（８）の深さや、幅、長さ、残厚寸法、形状は折り曲げ開封包装体（１）全体の構造により任意に決定される。
例えば、図１に示される折り曲げ部（８）は、折り曲げ罫線によって構成されている。
折り曲げ罫線は、シート材（５）における折り曲げ予定箇所を連続的または断続的にＶ字状または半円状に凹ませることにより、折り曲げ可能になっている。
尚、折り曲げ部（８）が狭い場合には折り曲げ罫線を設ける必要はない。
【００３２】
破断開封部（９）は、シート材（５）が折り曲げ部（８）で折り曲げられたときに開口を形成するように構成されている。
いいかえれば、破断開封部（９）は、シート材（５）が折り曲げ部（８）で折り曲げられたときに、収容部（４）の内圧が高くなることで、破断開封部（９）が破断開封され、内容物（Ｐ）を取り出すための開口が形成されるように構成されている。
図１の（ａ）に示される破断開封部（９）は、シート材（５）における線状の折り曲げ部（８）の途中に形成されている。
この破断開封部（９）は、シート材（５）を貫通して形成された溝であり、トムソン型による打ち抜きまたはレーザー加工によって形成される。
尚、溝は、シート材（５）を折り曲げたときに開口すればよいので、シート材（５）を完全に貫通していなくても良く、ハーフカットでも良い。
【００３３】
図１に示される破断開封部（９）は、断続的に形成された溝によって構成されているが、本発明においては開口を形成可能な形状であれば破断開封部（９）はいかなる形状であってもよく、破断開封部（９）の形状は特に限定されない。
したがって、破断開封部（９）は、例えば、断続的に形成された溝や、平面視略Ｈ形状、波形等、内容物の種類や、量、使用方法等に対応して、種々の形状や寸法を採用しても良い。
【００３４】
封止材（６）は、シート材（５）の少なくとも破断開封部（９）およびその周辺部に接着されて破断開封部（９）を封止する。
本実施形態の封止材（６）は、シート材（５）の全面に接着されているが、少なくとも破断開封部（９）およびその周辺部に接着されていれば良い。
【００３５】
封止材（６）は、シート材（５）が折り曲げ部（８）で折り曲げられたときに破断開封部（９）によって破断されて開封されることが可能な破断強度を有する。
封止材（６）は、具体的には、内容物（Ｐ）によりガスバリア性、防湿性等の条件を満足するフィルム状のものであって、折り曲げ開封包装体（１）を折り曲げた時に破断する物性を持ったものである。
封止材（６）は、例えば、アルミニウムなどの金属箔や薄い樹脂製フィルム等の単体や複合材（例えば、プラスチックや紙に樹脂をコーティングしたもの等）である。
封止材（６）の厚さは、内容物（Ｐ）、折り曲げ開封包装体（１）の大きさ、内容物（Ｐ）の物性や体積などの条件により決定される。
また、封止材（６）の表面には印刷加工やエンボス加工などが施されてもよい。
【００３６】
飛散防止材（７）は、破断開封時における内容物（Ｐ）の飛散を防止するために、破断開封部（９）の上方に設けられている。
飛散防止材（７）は、破断開封部（９）と交差する、一方の側（Ｓ１）から他方の側（Ｓ２）に延びる１つ以上の第１くし刃（７ａ）と、他方の側（Ｓ２）から一方の側（Ｓ１）に伸びる１つ以上の第２くし刃（７ｂ）と、基部（７ｃ）とを備えている。
すなわち、第１くし刃（７ａ）と第２くし刃（７ｂ）は、破断開封部（９）が伸びるＡの方向に対して交差するＢの方向に設けられている（図１の（ａ）参照）。
尚、第１くし刃（７ａ）および第２くし刃（７ｂ）と基部（７ｃ）は一体的に設けられていても良く、別体として設けられていても良い。
【００３７】
１つ以上の第１くし刃（７ａ）と１つ以上の第２くし刃（７ｂ）は、破断開封部（９）に対して交差する方向において交互に設けられている。
図１の（ａ）において、第１くし刃（７ａ）と第２くし刃（７ｂ）が交互に設けられるのは、破断開封部（９）が伸びるＡの方向である場合を一例として示す。
図２の（ａ）および（ｂ）に示す如く、１つ以上の第１くし刃（７ａ）と１つ以上の第２くし刃（７ｂ）は、折り曲げ開封包装体（１）を折り曲げた際に、破断開封部（９）の開口方向に立ち並び、破断開封部（９）の開口から外に押し出される内容物（Ｐ）の進行方向をガイドするように構成されている。
これにより、折り曲げ開封包装体（１）を折り曲げて内容物（Ｐ）を取り出す際に、破断開封部（９）の開口から収容部（４）の外に押し出される内容物（Ｐ）が、第１くし刃（７ａ）および第２くし刃（７ｂ）に沿って外に押し出されるため、押し出された内容物（Ｐ）が意図せぬ方向に飛び散る虞がなく、目的の位置に内容物（Ｐ）を正しく押し出すこと（塗工すること）ができる。
尚、１つ以上の第１くし刃（７ａ）と１つ以上の第２くし刃（７ｂ）は、全体として交互に設けられていれば良い。
例えば、第１くし刃（７ａ）と第２くし刃（７ｂ）を夫々２ずつ連続して設け、飛散防止材（７）全体として第１くし刃（７ａ）と第２くし刃（７ｂ）が交互になっていれば良い。
【００３８】
図５は、本発明に係る第１くし刃（７ａ）および第２くし刃（７ｂ）の長さ（Ｌ）ならびに幅（Ｗ）を示す説明図である。
尚、図５は、第１くし刃（７ａ）および第２くし刃（７ｂ）を平面から見た図である。
【００３９】
第１くし刃（７ａ）および第２くし刃（７ｂ）の長さ（Ｌ）は、折り曲げ開封包装体（１）や、内容物（Ｐ）、破断開封部（９）の形状や寸法により適宜設定することができるが、特に０．５ｍｍ〜２０ｍｍであることが望ましい。
第１くし刃（７ａ）および第２くし刃（７ｂ）の長さ（Ｌ）が０．５ｍｍより短いと、内容物（Ｐ）の飛散防止効果が弱くなるため好ましくない。
第１くし刃（７ａ）および第２くし刃（７ｂ）の長さ（Ｌ）が２０ｍｍより長いと、折り曲げ開封包装体（１）を折り曲げた際に、第１くし刃（７ａ）および第２くし刃（７ｂ）が曲がり易くなるため、内容物（Ｐ）が引っ掛かり、円滑に内容物（Ｐ）を取り出すことができない虞があり好ましくない。
それゆえに、第１くし刃（７ａ）および第２くし刃（７ｂ）の長さ（Ｌ）は、０．５ｍｍ〜２０ｍｍであることが望ましい。
【００４０】
第１くし刃（７ａ）および第２くし刃（７ｂ）の幅（Ｗ）は、折り曲げ開封包装体（１）や、内容物（Ｐ）、破断開封部（９）の形状や寸法により適宜設定することができるが、特に０．３ｍｍ〜３ｍｍであることが望ましい。
第１くし刃（７ａ）および第２くし刃（７ｂ）の幅（Ｗ）が０．３ｍｍより狭いと、第１くし刃（７ａ）および第２くし刃（７ｂ）の腰が弱くなり、折り曲げ開封包装体（１）を折り曲げた際に、第１くし刃（７ａ）および第２くし刃（７ｂ）が直線的に立ち上がらない（開かない）虞があり好ましくない。
第１くし刃（７ａ）および第２くし刃（７ｂ）の幅（Ｗ）が３ｍｍより広いと、第１くし刃（７ａ）間の隙間および第２くし刃（７ｂ）の隙間が広くなるため、折り曲げ開封包装体（１）を折り曲げた際に、内容物（Ｐ）の飛散を防止できない虞があり好ましくない。
それゆえに、第１くし刃（７ａ）および第２くし刃（７ｂ）の幅（Ｗ）は、０．３ｍｍ〜３ｍｍであることが望ましい。
【００４１】
飛散防止材（７）の厚み（肉厚）は２０μｍ〜２００μｍが望ましいが、これに限定されず、第１くし刃（７ａ）および第２くし刃（７ｂ）や、飛散防止材（７）の材質、折り曲げ開封包装体（１）、内容物（Ｐ）、破断開封部（９）の形状や材質、寸法により適宜設定することができる。
尚、複数の第１くし刃（７ａ）および第２くし刃（７ｂ）の厚みを夫々異なるものとしても良く、１つの第１くし刃（７ａ）および第２くし刃（７ｂ）において、位置により厚みを変更しても良い。
また、飛散防止材（７）の第１くし刃（７ａ）および第２くし刃（７ｂ）部分とそれ以外の部分の厚みを異なるものとしても良い。
【００４２】
飛散防止材（７）の形状は特に限定されず、１つ以上の第１くし刃（７ａ）と１つ以上の第２くし刃（７ｂ）が、折り曲げ開封包装体（１）を折り曲げた際に、破断開封部（９）の開口方向に立ち並び、破断開封部（９）の開口から外に押し出される内容物（Ｐ）の進行方向をガイドするように構成されていればいかなる形状であっても良い。
例えば、飛散防止材（７）全体をくし刃状に形成しても良い。
また、飛散防止材（７）は、少なくとも破断開封部（９）の上方に設けられていれば良く、図３に示す如く、折り曲げ開封包装体（１）の上面の全面に設けられていても良い。
【００４３】
第１くし刃（７ａ）および第２くし刃（７ｂ）の形状は特に限定されず、１つ以上の第１くし刃（７ａ）と１つ以上の第２くし刃（７ｂ）が、折り曲げ開封包装体（１）を折り曲げた際に、破断開封部（９）の開口方向に立ち並び、破断開封部（９）の開口から外に押し出される内容物（Ｐ）の進行方向をガイドするように構成されていればいかなる形状であっても良い。
【００４４】
叙上の通り、第１くし刃（７ａ）および第２くし刃（７ｂ）の形状は特に限定されないが、図６の（ａ）〜（ｆ）に第１くし刃（７ａ）および第２くし刃（７ｂ）の形状の一例を示す。
図６の（ａ）において、第１くし刃（７ａ）および第２くし刃（７ｂ）は、全長に亘って同じ幅（Ｗ）を備える平面視略矩形状である。
図６の（ｂ）において、第１くし刃（７ａ）および第２くし刃（７ｂ）は、平面視において先細りするテーパ状であり、先端が曲面状である。
図６の（ｃ）において、第１くし刃（７ａ）および第２くし刃（７ｂ）は、平面視において先が太くなる逆テーパ状であり、先端が曲面状である。
図６の（ｄ）において、第１くし刃（７ａ）および第２くし刃（７ｂ）は、平面視において中途部から幅（Ｗ）が広くなり、先端までその幅が一定である。
図６の（ｅ）において、第１くし刃（７ａ）および第２くし刃（７ｂ）は、平面視において曲線形状である。
図６の（ｆ）において、第１くし刃（７ａ）および第２くし刃（７ｂ）は、平面視において幅（Ｗ）方向の一方の端部が直線状であり、他方の端部が曲線状である。
【００４５】
飛散防止材（７）と封止材（６）との接着は、ホットメルト材での溶着、接着剤での接着、粘着剤での接着等によって行われ、飛散防止材（７）および封止材（６）の材質や厚さに応じて適宜選択される。
尚、封止材（６）とシート材（５）の接着についても同様である。
さらに、上材（２）のシート材（５）と溶着材との接着についても同様である。
【００４６】
飛散防止材（７）の材料は特に限定されないが、腰の強いフィルムであることが望ましく、例えば、２軸延伸ポリエチレンテレフタレート（ＯＰＥＴ）等が挙げられる。
【００４７】
容器材となる下材（３）は、折り曲げ可能な形状と物性があり、溶着材と溶着可能な材料であれば良い。
容器材となる下材（３）は、例えば、ポリエチレンなどの柔軟な材料で製造された薄肉フィルムなどからなる。
容器材となる下材（３）は、複合プラスチックフィルムであることが望ましい。
下材（３）に複合プラスチックフィルムを用いる場合、内面（すなわち、上材（２）と溶着されたとき、折り曲げ開封包装体（１）の外側に出ない面）はＰＥ等の熱シール可能なものであることが望ましく、外側（すなわち、上材（２）と溶着されたとき、折り曲げ開封包装体（１）の外側に出る面）は、引っ掻き強度の高いナイロン（ＮＹ）等であることが望ましい。
また、ガスバリア性が要求される内容物を収容する場合、ガスバリア性の優れたポリビニルアルコール等の層を設けることが望ましい。
【００４８】
また、本発明の折り曲げ開封折り曲げ開封包装体（１）では、図１および図３に示されるように、容器材となる下材（３）が種々の形状であっても、上記実施形態の効果を奏することが可能である。
例えば、図１に示すような成型形状や、図３に示すような断面視略フラットな形状であっても良く、収容部（４）が２つに分かれている形状や、扁平な薄型直方体の形状等、収容部（４）に内容物（Ｐ）を収容することができ、折り曲げ開封包装体（１）を折り曲げることによって折り曲げ開封包装体（１）の一部が破断開封して、内容物（Ｐ）を折り曲げ開封包装体（１）から取り出すことが可能な形状であればいかなる形状であっても良い。
【００４９】
次に、本発明に係る折り曲げ開封包装体（１）その他の実施形態について記載する。
図３は、本発明のその他の実施形態に係る折り曲げ開封包装体の構造を示す図であって、（ａ）は平面図、（ｂ）は断面図である。
図４は、本発明のその他の実施形態に係る折り曲げ開封包装体を折り曲げた状態を示す図であって、（ａ）は折り曲げ開封包装体を折り曲げ破断開封して内容物を取り出している状態を示す説明図、（ｂ）は（ａ）の状態の折り曲げ開封包装体をＤの方向から見た図である。
【００５０】
図３〜４に示す折り曲げ開封包装体（１）では、飛散防止材（７）が上材（２）の上面の全面に設けられている。
飛散防止材（７）が上材（２）の上面の全面に設けられている場合、第１くし刃（７ａ）および第２くし刃（７ｂ）は、飛散防止材（７）に切り込み（７ｄ）を設けることにより形成される。
切り込み（７ｄ）は、折り曲げ開封包装体（１）を折り曲げた際に、第１くし刃（７ａ）と第２くし刃（７ｂ）が破断開封部（９）の開口方向に立ち並び、破断開封部（９）の開口から外に押し出される内容物（Ｐ）の進行方向をガイドするように位置付けられるように設けられている。
【００５１】
切り込み（７ｄ）は、飛散防止材（７）を貫通して形成された溝であり、トムソン型による打ち抜きまたはレーザー加工によって形成される。
尚、切り込み（７ｄ）は、シート材（５）を折り曲げたときに、第１くし刃（７ａ）と第２くし刃（７ｂ）がが破断開封部（９）の開口方向に立ち並び、破断開封部（９）の開口から外に押し出される内容物（Ｐ）の進行方向をガイドするように位置付けられれば良いので、シート材（５）を完全に貫通していなくても良く、ハーフカットでも良い。
【００５２】
尚、図３〜４に示す、本発明のその他の実施形態に係る折り曲げ開封包装体（１）は、上記した飛散防止材（７）の特徴以外は図１〜２に示す本発明の実施形態に係る折り曲げ開封包装体（１）と同様の特徴を備えている。
【００５３】
尚、本発明に係る折り曲げ開封包装体（１）のシート材（５）および飛散防止材（７）は、これらのみで折り曲げ開封構造として使用することができる。
すなわち、折り曲げ開封構造は、二つ折り状態に折り曲げ可能な折り曲げ部（８）、および折り曲げ部（８）で折り曲げられたときに開口を形成する破断開封部（９）を有するシート材（５）を備えており、破断開封時における内容物（Ｐ）の飛散を防止するための飛散防止材（７）が、破断開封部（９）の上方に設けられており、飛散防止材（７）は、破断開封部（９）と交差する、一方の側（Ｓ１）から他方の側（Ｓ２）に延びる１つ以上の第１くし刃（７ａ）と、他方の側（Ｓ２）から一方の側（Ｓ１）に伸びる１つ以上の第２くし刃（７ｂ）とを備え、１つ以上の第１くし刃（７ａ）と１つ以上の第２くし刃（７ｂ）は、破断開封部（９）に対して交差する方向において交互に設けられている。
【００５４】
また、折り曲げ開封構造は、破断開封部（９）およびその周辺部に接着されて破断開封部（９）を封止し、シート材（５）が折り曲げ部（８）で折り曲げられたときに破断開封部（９）によって破断されて開封されることが可能な破断強度を有する封止材（６）を備えていても良い。
【００５５】
本発明に係る折り曲げ開封構造は、本発明に係る折り曲げ開封構造が取り付けられることで、折り曲げることにより内容物（Ｐ）を取り出すことができる構造を備えるものであれば、いかなる構造のものにも適用することができる。
本発明に係る折り曲げ開封構造が取り付けられた容器は、折り曲げて内容物（Ｐ）を取り出す際に、開口から収容部（４）の外に押し出される内容物（Ｐ）が第１くし刃（７ａ）および第２くし刃（７ｂ）に沿って外に押し出されるため、押し出された内容物（Ｐ）が意図せぬ方向に飛び散る虞がなく、目的の位置に内容物（Ｐ）を正しく押し出すことができる。
【産業上の利用可能性】
【００５６】
本発明の折り曲げ開封包装体によれば、破断開封時における内容物の飛散を防止するための飛散防止材が破断開封部の上方に設けられており、飛散防止材は、破断開封部と交差する、一方の側から他方の側に延びる１つ以上の第１くし刃と、他方の側から一方の側に伸びる１つ以上の第２くし刃とを備え、１つ以上の第１くし刃と１つ以上の第２くし刃は、破断開封部に対して交差する方向において交互に設けられているため、折り曲げて内容物（例えば、液状、ペースト状、粉末状、顆粒状、または錠剤タイプの食品、医薬品、または化粧品等）を取り出す際に、開口から収容部の外に押し出される内容物が第１くし刃および第２くし刃に沿って外に押し出されるため、押し出された内容物が意図せぬ方向に飛び散る虞がなく、目的の位置に内容物を正しく押し出すこと（塗工すること）ができる。
【００５７】
また、本発明の折り曲げ開封構造によれば、内容物を封入する包装体を折り曲げることによって包装体の一部が破断開封して、内容物を包装体から取り出すことが可能な包装体の折り曲げ開封構造であって、折り曲げ開封構造は、二つ折り状態に折り曲げ可能な折り曲げ部、および折り曲げ部で折り曲げられたときに開口を形成する破断開封部を有するシート材を備えており、破断開封時における内容物の飛散を防止するための飛散防止材が、破断開封部の上方に設けられており、飛散防止材は、破断開封部と交差する、一方の側から他方の側に延びる１つ以上の第１くし刃と、他方の側から一方の側に伸びる１つ以上の第２くし刃とを備え、１つ以上の第１くし刃と１つ以上の第２くし刃は、破断開封部に対して交差する方向において交互に設けられているため、折り曲げて内容物（例えば、液状、ペースト状、粉末状、顆粒状、または錠剤タイプの食品、医薬品、または化粧品等）を取り出す際に、開口から収容部の外に押し出される内容物が第１くし刃および第２くし刃に沿って外に押し出されるため、押し出された内容物が意図せぬ方向に飛び散る虞がなく、目的の位置に内容物を正しく押し出すこと（塗工すること）ができる。
【００５８】
それゆえに、本発明の折り曲げ開封包装体および折り曲げ開封構造は、液状、ペースト状、粉末状、顆粒状、または錠剤タイプの食品、医薬品、または化粧品等を個別包装する折り曲げ開封包装体に利用することが可能である。
さらに詳しくは、折り曲げて内容物を取り出す際に、内容物が飛び散ることを防止でき、目的の位置に内容物を正しく押し出すことができる折り曲げ開封包装体に利用することが可能である。
【符号の説明】
【００５９】
１      折り曲げ開封包装体
２      上材
３      下材
４      収容部
５      シート材
６      封止材
７      飛散防止材
７ａ    第１くし刃
７ｂ    第２くし刃
７ｃ    基部
７ｄ    切り込み
８      折り曲げ部
９      破断開封部
Ｐ      内容物
Ｓ１    一方の側
Ｓ２    他方の側
【図１】
2019196193.tif 000003
【図２】
2019196193.tif 000004
【図３】
2019196193.tif 000005
【図４】
2019196193.tif 000006
【図５】
2019196193.tif 000007
【図６】
2019196193.tif 000008
【図７】
2019196193.tif 000009
【図８】
2019196193.tif 000010